(57)【要約】【課題】本発明は、ユーザの嗜好にあった番組を確実に、かつ、見忘れたあるいは録画し忘れた番組のみを受信あるいは録画する機能などを提供することを目的とする。【解決手段】受信装置１００でユーザの嗜好にあった未視聴番組に関する、配信終了時刻と配信に必要な時間から配信開始時刻を算出し、配信開始時刻になったら見忘れ番組配信サーバに配信要求を行うことで配信終了直前に確実に番組を録画することが可能となるものである。【選択図】図１
2009100143.tif 000002
【特許請求の範囲】
【請求項１】
ネットワークでセンター装置と接続され、前記センター装置から配信される番組を受信する番組受信装置であって、受信することを指示された番組の配信終了時刻を前記センター装置から取得する終了時刻情報取得手段と、当該番組を受信するために要する時間である配信時間を取得または算出する配信所要時間処理手段と、当該番組の指示と、当該番組の配信終了時刻と前記配信時間とをもとに配信要求時刻を算出し、前記センター装置に対して前記配信要求時刻に当該番組を配信するように要求し、当該番組の受信を前記配信要求時刻から開始する番組受信制御手段を備えることを特徴とする番組受信装置。
【請求項２】
さらに、前記センター装置から配信される番組を蓄積するための蓄積手段を備え、前記番組受信制御手段は、さらに、前記配信要求時刻から、前記センター装置より配信される前記番組を前記蓄積手段に対して蓄積するように制御することを特徴する請求項１記載の番組受信装置。
【請求項３】
さらに、ユーザの嗜好情報を取得するための嗜好情報取得手段を備え、前記番組受信制御手段は、さらに、前記嗜好情報にあった番組を受信することを指示することを特徴とする請求項１記載の番組受信装置。
【請求項４】
さらに、ユーザの視聴履歴を取得するための視聴履歴取得手段を備え、前記番組受信制御手段は、さらに、前記視聴履歴をもとに視聴していない番組を受信することを指示することを特徴とする請求項３記載の番組受信装置。
【請求項５】
さらに、前記番組受信制御手段は、前記センター装置に対して複数の番組の配信を要求する場合には、前記嗜好情報取得手段で取得した情報をもとに、嗜好性が高い番組から順に受信することを指示することを特徴とする請求項３記載の番組受信装置。
【請求項６】
ネットワークでセンター装置と接続され、前記センター装置から配信される番組を受信する番組受信装置とからなるシステムであって、前記番組受信装置は、受信することを指示された番組の配信終了時刻を前記センター装置から取得する終了時刻情報取得手段と、当該番組を受信するために要する時間である配信時間を取得または算出する配信所要時間処理手段と、当該番組の指示と、当該番組の配信終了時刻と前記配信時間とをもとに配信要求時刻を算出し、前記センター装置に対して前記配信要求時刻に当該番組を配信するように要求し、当該番組の受信を前記配信要求時刻から開始する番組受信制御手段を備え、前記センター装置は、前記番組受信装置から指示された番組に関する配信終了時刻と、配信時間とを送信し、さらに、前記番組受信装置から指示された番組を、前記番組受信装置から要求された配信要求時刻に配信する番組配信手段とを備えることを特徴とする番組配信システム。
【請求項７】
ネットワークでセンター装置と接続され、前記センター装置から配信される番組を受信する番組受信方法であって、受信することを指示された番組の配信終了時刻を前記センター装置から取得し、当該番組を受信するために要する時間である配信時間を取得または算出し、当該番組の配信終了時刻と前記配信時間とをもとに配信要求時刻を算出し、前記センター装置に対して前記配信要求時刻に当該番組を配信するように要求し、当該番組の受信を前記配信要求時刻から開始することを特徴とする番組受信方法。
【請求項８】
さらに、ユーザの嗜好情報とユーザの視聴履歴を取得し、前記嗜好情報にあった番組で、前記視聴履歴をもとに視聴していない番組を受信または蓄積するように指示することを特徴とする請求項７記載の番組受信方法。
【発明の詳細な説明】
【技術分野】
【０００１】
本発明は、映像配信における受信装置及び番組配信システムに関するものである。
【背景技術】
【０００２】
視聴や録画を希望するテレビ番組などをリアルタイム視聴できない場合、ＶＴＲやハードディスクレコーダなどの蓄積装置で番組を受信しておき、ユーザの都合のよい時間に視聴する方法が広く普及している。また、ドラマなどシリーズで放送される番組に関しては一度録画すると次の回の放送も自動的に録画したり、あるいは録画回数が多い分野の番組の録画をユーザに推薦するおすすめ機能などがついた録画装置も普及している。
【０００３】
さらに、録画をし忘れた番組を視聴するために、テレビ局などが放送済みの番組を格納したサーバを設置し、インターネットなどを経由してユーザに配信する仕組みなども検討、試行されている。
【０００４】
以下、特許文献１に記載された従来の番組配信システムについて説明する。
【０００５】
図６は、従来の番組配信システムの構成を表す図である。図６において、過去の放送済み番組を保持する過去録番組サーバ７０１と、番組録画装置６００とがネットワークで接続されている。番組録画装置６００は、番組の放送時間を経過してしまった場合でも、過去の番組を録画予約画面に表示し、その中から、放送済みの番組が録画予約指定される場合には、番組録画装置のコントローラ６０１で時刻を判定し、ネットワークを通して過去録番組サーバ７０１に配信要求を送付し、過去録番組サーバ７０１より、番組配信メッセージにより番組の配信を受け、番組録画装置６００に保存し、録画予約再生選択の画面により配信された番組を視聴できるようにする。
【０００６】
番組録画装置６００は、全体を制御するコントローラ６０１、放送局の電波を受信する、チューナ６０２、チューナよりアナログの映像を入力し、デジタルの動画データに変換するＭＰＥＧエンコーダ６０３、ＭＰＥＧエンコーダより動画データを入力し保存するＨＤＤ６０４、保存された動画データをＨＤＤ６０４より入力しアナログ動画データに変換するとともに、音声を取り出すＭＰＥＧデコーダ６０５、ＭＰＥＧデコーダより出力される音声デジタル信号をアナログの音声に変換する音声Ｄ／Ａ６０６、ＭＰＥＧデコーダ６０５より出力された動画データをアナログのＮＴＳＣ信号に変換するＮＴＳＣエンコーダ６０７、コントローラ６０１とチューナ６０２、ＭＰＥＧエンコーダ６０３、ＨＤＤ６０４、ＭＰＥＧデコーダ６０５の間を接続する記録／再生制御回路６０８、時刻を管理するための時計回路６１０、番組録画装置６００の操作を実現するリモコン６１２、リモコンからの信号を受信するリモコン受信部６１１、録画装置と過去録番組サーバ７０１をネットワークで接続する通信制御回路６０９より構成される。
【０００７】
コントローラ６０１は、番組録画装置６００全体を制御する。
【０００８】
過去録番組サーバ７０１は、番組録画装置６００からの配信要求の有無にかかわらず、連続的に各放送局の番組を録画し、番組録画装置６００からの配信要求にしたがって、番組を配信する。
【０００９】
次に録画予約実施時の番組録画装置６００の動作の概略について示す。録画予約画面で番組を選択時に放送時刻を取得する。選択された番組が放送済みかどうかを判定し放送前であれば、チューナ６０２を利用した放送局からの電波による予約録画を行う。放送時刻になった場合、放送局からの電波を受信し番組を受信録画する。放送済みと判定した場合は、過去録番組サーバ７０１に配信要求を送る。過去録サーバ７０１より動画ストリームの配信を受信し、録画する。録画番組を示す画面で既に放送の終了した番組も表示することで、放送済み番組を視聴したい場合、この画面から所望の番組を選択し、録画を指示することが出来る。
【００１０】
続いて、録画指定時の選択手順を示す。リモコン上で録画メニュー選択ボタンが押されると録画メニューが選択され、チャンネル選択及び番組選択を行う。
【００１１】
特許文献１記載の実施例において、番組選択画面では、放送前番組、例えば今日および明日以降の放送前番組表を表示するとともに、既に放送済みの番組も表示される。例えば、今日が５月５日（水）だとすると、既に放送済みの５月３日（月）の番組も表示される。５月３日（月）の番組のように従来例では、放送済みの番組も録画予約の対象として番組を選択することができる。
【００１２】
録画予約／再生選択画面では、５月６日（木）９時３０分の状態が示されており、５月３日（月）の毎朝放送の番組は、録画指定時既に放送済みとなっていたため、録画種別が過去録サーバ受信と表示され、録画状態は「予約中」となり、サーバからの配信を待っている状態である。５月６日（木）１７時３０分の状態が示されており、先ほど予約中だった番組は、録画状態が「録画済み」となり番組が配信済みであることを示し、この録画済みの番組は、選択することにより視聴が可能となる。この例のように、録画は過去の番組も録画予約されており、放送前の番組の録画完了を待つのと同様の操作で過去の放送済み番組の配信を受けることができる。
【００１３】
過去録番組サーバ７０１は番組録画装置より配信要求メッセージを受信する。配信要求メッセージは、配信を要求する番組録画装置の端末識別子、当該装置からのメッセージを区別するためのメッセージ識別子、配信を要求する放送局名、放送開始時刻、放送終了時刻、および配信要求レベルより構成される。過去録番組サーバ７０１は、この配信要求メッセージにしたがって、配信スケジュールを設定し、番組の配信を実施する。この際、スケジューリング後の配信予定時刻などを設定して、配信要求応答メッセージを番組録画装置６００に返信する。配信要求応答メッセージでは端末識別子、メッセージ識別子、配信要求受領ステータス、配信開始予定時刻、配信終了予定時刻を示している。メッセージ識別子は、配信要求のあった配信要求メッセージのメッセージ識別子と一致するように設定される。配信要求受領ステータスでは、配信の可否などが設定される。本例では、配信要求が受領され、その後ろに配信予定開始時刻と配信終了予定時刻が設定されており、５月６日の１２時より配信され１３時までに配信が終了する予定であることがわかる。過去録番組サーバ７０１から、番組録画装置に番組を配信する際には、番組配信メッセージが過去録番組サーバより番組録画装置に送られる。番組配信メッセージは、端末識別子、メッセージ識別子、動画ストリームより構成される。例えば、端末識別番号１２３９９９７８７８の番組録画装置のメッセージ識別子の配信要求に対応する番組の配信メッセージであることがわかる。本メッセージに番組の動画ストリームが載せられて、番組録画装置に配信される。
【００１４】
過去録番組サーバ７０１では、番組配信のスケジューリングを実施する。予約録画と同様に過去の番組の録画にも遅延録画を許しているので、過去録番組サーバの配信能力にしたがって、配信要求を割り当てる。例えば、５月８日（土）１８：００分以降のスケジュールがまだ空いていることがわかる。このように遅延配信を基本としているため、配信要求を平準化でき、過度の設備投資を抑制することが可能となる。
【特許文献１】特開２００６−３３３１５７号公報
【発明の開示】
【発明が解決しようとする課題】
【００１５】
特許文献１に示す従来の番組配信システムでは、ユーザに録画予約処理を委ねているので、ユーザが過去放送番組を見落とす可能性があり、確実に見たい番組を予約できない課題があった。
【００１６】
また、過去番組録画サーバは通常、一定期間保存し、その後サーバの番組を更新するので、いつ番組を受信すべきかわからず、番組が配信可能になった時点で録画を開始する必要があり、その場合、配信可能期間、すなわち視聴可能期間が残っているにもかかわらず予約するので、録画装置の容量が多く必要となる課題があった。
【００１７】
本発明は、このような課題を解決するもので、受信装置でユーザの嗜好にあった未視聴あるいは未録画番組に関する、配信終了時刻と配信に必要な時間とから配信開始時刻を算出する。
【００１８】
この結果、配信終了直前に確実に番組を録画することで、ユーザの嗜好にあった番組を確実に、かつ、見忘れたあるいは録画し忘れた番組のみを受信あるいは録画する機能などを提供することを目的とする。
【課題を解決するための手段】
【００１９】
上記目的を達成するために、本発明の番組受信装置は、ネットワークでセンター装置と接続され、前記センター装置から配信される番組を受信する番組受信装置であって、受信することを指示された番組の配信終了時刻を前記センター装置から取得する終了時刻情報取得手段と、当該番組を受信するために要する時間である配信時間を取得または算出する配信所要時間処理手段と、当該番組の指示と、当該番組の配信終了時刻と前記配信時間とをもとに配信要求時刻を算出し、前記センター装置に対して前記配信要求時刻に当該番組を配信するように要求し、当該番組の受信を前記配信要求時刻から開始する番組受信制御手段を備えることを特徴とする。
【００２０】
また、本発明の番組受信装置は、前記センター装置から配信される番組を蓄積するための蓄積手段を備え、前記番組受信制御手段は、さらに、前記配信要求時刻から、前記センター装置より配信される前記番組を前記蓄積手段に対して蓄積するように制御することを特徴とする。
【発明の効果】
【００２１】
本発明の番組情報提示装置によれば、受信することを指示された番組は、センター装置からの配信が終了する時刻の直前で、配信時間を遡った時刻から受信を開始するように端末自身がスケジュールする。このため、センター装置からの配信がされなくなる直前に受信要求をし、番組を受信することができるため、直前まで視聴漏れしたもの(本当に見忘れたり、録画し忘れたりした番組)についてのみ受信、蓄積することができるため、録画漏れもなくすことができる。さらに、受信装置によりスケジューリングされるため、センター装置でのスケジューリングの負荷をなくすことができる。
【発明を実施するための最良の形態】
【００２２】
本発明の番組受信装置は、ネットワークでセンター装置と接続され、前記センター装置から配信される番組を受信する番組受信装置であって、受信することを指示された番組の配信終了時刻を前記センター装置から取得する終了時刻情報取得手段と、当該番組を受信するために要する時間である配信時間を取得または算出する配信所要時間処理手段と、当該番組の指示と、当該番組の配信終了時刻と前記配信時間とをもとに配信要求時刻を算出し、前記センター装置に対して前記配信要求時刻に当該番組を配信するように要求し、当該番組の受信を前記配信要求時刻から開始する番組受信制御手段を備えるように構成されている。
【００２３】
また、本発明の番組受信装置は、前記センター装置から配信される番組を蓄積するための蓄積手段を備え、前記番組受信制御手段は、さらに、前記配信要求時刻から、前記センター装置より配信される前記番組を前記蓄積手段に対して蓄積するように制御するように構成しても構わない。
【００２４】
これにより、受信することを指示された番組は、センター装置からの配信が終了する時刻の直前で、配信時間を遡った時刻から受信を開始するように端末自身がスケジュールする。このため、センター装置からの配信がされなくなる直前に受信要求をし、番組を受信することができるため、直前まで視聴漏れしたものについてのみ受信、蓄積することができる。さらに、受信装置によりスケジューリングされるため、センター装置でのスケジューリングの負荷をなくすことができる。
【００２５】
また、本発明の番組受信装置は、さらに、ユーザの嗜好情報を取得するための嗜好情報取得手段を備え、前記番組受信制御手段は、さらに、前記嗜好情報にあった番組を受信することを指示するように構成しても構わない。
【００２６】
これにより、ユーザの嗜好に合致した番組は、センター装置からの配信が終了する時刻の直前で、配信時間を遡った時刻から受信を開始するため、センター装置からの配信がされなくなる前に番組を受信し、蓄積することができる。
【００２７】
また、本発明の番組受信装置は、さらに、ユーザの視聴履歴を取得するための視聴履歴取得手段を備え、前記番組受信制御手段は、さらに、前記視聴履歴をもとに視聴していない番組を受信することを指示するように構成しても構わない。
【００２８】
これにより、ユーザの嗜好に合致した番組で、視聴されていない番組は、センター装置からの配信が終了する時刻の直前で、配信時間を遡った時刻から受信を開始するため、センター装置からの配信がされなくなる前に番組を受信し、蓄積することができ、録画漏れや、視聴見逃しをなくすことができる。
【００２９】
また、本発明の番組受信装置は、さらに、前記番組受信制御手段は、前記センター装置に対して複数の番組の配信を要求する場合には、前記嗜好情報取得手段で取得した情報をもとに、嗜好性が高い番組から順に受信することを指示するように構成しても構わない。
【００３０】
これにより、複数の番組の配信が要求されるような場合には、嗜好性が高い番組から順番に受信することができるため、視聴の際にも嗜好性の高いものから順に視聴することができるし、万が一、配信時間に変動が発生した場合にも、嗜好性の高いものが残ることにより、すべて受信できなくなったとしてもユーザの不満もある程度緩和できる。
【００３１】
（実施の形態１）
以下に、本発明を実施するための最良の形態について、図面を参照しながら説明する。
【００３２】
図１は、本発明の実施の形態１における番組配信システムの構成を表す図である。
【００３３】
図１において、放送局のセンター装置１００には放送済み番組が蓄積された番組蓄積手段１０２が配置されており、番組配信手段１０３では番組の配信スケジュールを管理し、ネットワーク接続手段１０１からインターネットなどのネットワーク２００を通じてユーザ宅の受信装置３００に番組を配信する。受信装置３００ではネットワーク接続手段３０１から番組が多重された信号を受信すると復号手段３０２で受信信号を復号し、蓄積手段３０８で蓄積後、再生手段３０９で読み出して再生処理を行い、出力手段３１０でＴＶ（図示せず）などの表示装置に番組信号を出力して表示することが可能となる。
【００３４】
以上のような番組配信サービスにおける受信装置の動作について説明する。
【００３５】
センター装置１００は、過去放送分の番組を番組蓄積手段１０２にファイル形式で保存している。センター装置１００は番組やデータ放送などを配信する。
【００３６】
番組情報管理手段１０４は、ネットワーク２００を介して配信するスケジュールを管理している。図２に管理している配信番組の情報である番組配信情報の一例を示す。番組毎に配信終了日、視聴時間、配信所要時間などが記載されている。例えば、ドラマＡの場合は、配信は本日まで、視聴時間は１時間、受信装置に配信するために必要な時間は１５分である。なお、配信所要時間はＦＴＴＨ（Ｆｉｂｅｒ  Ｔｏ  Ｔｈｅ  Ｈｏｍｅ）などを前提に記載しているが、例えばＡＤＳＬ（Ａｓｙｍｍｅｔｒｉｃ  Ｄｉｇｉｔａｌ  Ｓｕｂｓｃｒｉｂｅｒ  Ｌｉｎｅ）などの複数の回線が混在する場合は、もっとも配信に時間が係るサービスを想定して最長となる時間を設定するなどの方法もある。
【００３７】
通常、過去番組など蓄積データの配信サービスは毎日あるいは特定曜日あるいは特定日の特定時間にその蓄積内容が更新される。例えば、毎日２３時に更新されるとすると、ドラマＡの配信終了は本日の２３時に配信が終了する。センター装置１００は受信装置からの要求に応じて、蓄積番組のほかに上記番組配信情報を受信装置に配信する。
【００３８】
視聴履歴取得手段３０５は、ユーザが番組を視聴あるいは録画するたびに視聴履歴を取得する。取得する情報はチャンネルと曜日と時間など、受信機器が通常保持している情報でもよいし、ＡＲＩＢ（社団法人電波産業会）規格で規定されているＥＩＴ（Ｅｖｅｎｔ  Ｉｎｆｏｒｍａｔｉｏｎ  Ｔａｂｌｅ）から取得した番組名や番組内容でもよく、番組の情報であれば特に限定しない。
【００３９】
嗜好情報取得手段３０６は、視聴履歴取得手段３０５で取得された視聴履歴などを基にユーザの嗜好性を判断する。なお、ユーザの嗜好性などを表す嗜好情報の取得方法は視聴履歴のほか、ユーザからの嗜好情報の直接入力などもあり、特に限定しない。
【００４０】
番組受信制御手段３０７は、センター装置１００に定期的にアクセスし、番組情報管理手段１０４で生成された、配信番組情報（図２に示す）を入手する。なお、センター装置１００へのアクセスは、蓄積されている番組が更新され、番組情報管理手段１０４で管理している配信スケジュールが更新されたタイミングが望ましい。配信スケジュールの更新タイミングに関しては、あらかじめ決められていてもよく、あるいは配信番組情報に次の更新タイミングを記載しておいてもよく、特に限定しない。
【００４１】
終了情報取得手段３０３は、センター装置１００から入手された、番組の配信終了日などの配信終了に関する情報を取得する。
【００４２】
配信所要時間処理手段３０４は、センター装置１００から入手された、センター装置１００から受信装置３００への、番組配信に要する配信時間を取得する。
【００４３】
番組受信制御手段３０７は、受信した配信番組情報と嗜好情報取得手段３０６で生成されたユーザの嗜好性を比較し、ユーザの嗜好性にあった番組を抽出する。次に、抽出された番組と視聴履歴取得手段３０５で取得した視聴履歴から未視聴あるいは未録画番組を抽出し、ユーザの嗜好に合っていて、かつ、未録画の番組を決定する。決定された番組の番組配信情報を確認し、配信終了が本日中であるか否かを確認する。本日中であれば、配信所要時間を確認し、配信の終了時刻から配信所時間を引いた時間、例えば図２のドラマＡであれば本日の２３時に配信が終了し、配信所要時間が１５分であるため、配信開始時刻である２２時４５分になったら、番組受信制御手段３０７はセンター装置１００に配信要求を送信し、自動的に録画を開始する。なお、実際の配信開始時刻の算出や録画開始時刻に関しては、回線混雑などを考慮して少し早めの時刻から録画を開始してもよい。
【００４４】
次に受信装置３００が複数の見忘れ番組を録画するまでの処理の流れを図３を用いて詳細に説明する。
【００４５】
受信装置３００にセンター装置１００における配信内容の更新時刻、例えば毎日２３時００分が、センター装置１００から、または、あるいは初期設定などにより、設定される（Ｓ３０１）。
【００４６】
受信装置３００において、配信内容の更新時刻であるか否かを判断し（Ｓ３０２）、更新時刻になるとセンター装置１００から番組の番組配信情報を取得する（Ｓ３０３）。
【００４７】
番組受信制御手段３０７は、視聴履歴取得手段３０５より、視聴済みまたは録画済番組履歴を取得し（Ｓ３０４）、嗜好情報取得手段３０６からユーザの嗜好に合った番組であるお好み番組を取得する（Ｓ３０５）。
【００４８】
センター装置１００より取得した番組配信情報と、視聴または録画履歴と、お好み番組とを比較し、お好み番組の中で見忘れまたは録画忘れがないかをチェックする（Ｓ３０６）。
【００４９】
もし見忘れまたは録画忘れがなければ、翌日の番組情報更新時刻まで特に処理は行わない。ここまでは見忘れ番組が１つの場合と同様である。見忘れまたは録画忘れがあれば、見忘れまたは録画忘れ番組のそれぞれの配信必要時間を合算する（Ｓ３０７）。例えば、図２においてドラマＡと映画Ａが見忘れ番組であるとすると配信に必要な時間は１５分＋３０分で４５分となる。したがって録画開始時刻は番組内容が更新される２３時００分の４５分前である２２時１５分となる。これにより、番組受信制御手段３０７では「２２時１５分になったら、ドラマＡと映画Ａを録画する」が記録される。なお、録画の順番に関しては、嗜好情報取得手段３０６で嗜好性をチェックして、嗜好性が高いほうから開始してもよいが、特に限定しない。
【００５０】
録画開始時刻である２２時１５分になったか否かを確認し（Ｓ３０８）、録画開始時刻になれば再度視聴履歴取得手段３０５をチェックし、番組受信制御手段３０７に登録された、録画開始予定のドラマＡと映画Ａを、登録以降視聴あるいは録画していないかチェックする（Ｓ３０９）。
【００５１】
もし、視聴も録画もされていなければ、順次センター装置１００に配信を要求し録画を開始する（Ｓ３１１）。
【００５２】
もし、たとえばドラマＡが視聴済みであったのであれば、配信に必要な時間を再計算する（Ｓ３１０）。ドラマＡに必要な配信時間は１５分であるので、１５分後の２２時３０分に再度、視聴履歴取得手段３０５をチェックする。この際に、再度、番組受信制御手段３０７に登録された、録画開始予定の映画Ａが、登録以降に視聴または録画されていないかチェックする（Ｓ３０９）。
【００５３】
もし、視聴も録画もされていなければ、センター装置１００に映画Ａの配信を要求し録画を開始し（Ｓ３１１）、視聴または録画済みであれば、本日の見忘れ番組はなくなったと判断し、翌日の番組情報更新時刻まで特に処理は行わない（Ｓ３１２）。
【００５４】
ここで、見忘れ番組が２つあり、番組受信制御手段３０７に見忘れ番組を登録後に視聴も録画も行っていない場合の、センター装置１００と受信装置３００のやり取りを図４に示す。
【００５５】
センター装置１００は、センター装置１００内の番組配信内容の更新する時刻などの番組配信情報を受信装置３００に通知し（Ｓ４０１）、番組配信情報も受信装置３００に通知する（Ｓ４０２）。
【００５６】
受信装置は、視聴履歴、嗜好情報を確認し、見忘れ番組のリストを作成し、番組の配信終了時刻から番組配信時間を考慮し、まず番組１に関する番組の配信要求をセンター装置１００に要求し（Ｓ４０３）、番組１がセンター装置１００から受信装置３００へ配信される（Ｓ４０４）。
【００５７】
続いて、番組２についても配信要求をセンター装置１００に要求し（Ｓ４０５）、番組２がセンター装置１００から受信装置３００へ配信される（Ｓ４０６）。
【００５８】
これらの処理により、複数の見忘れ番組がある場合でも配信時間の合計が次の配信内容更新時刻までの時間を越えなければ、受信装置１００は自動的にすべての番組を録画することが可能である。もし越えてしまう場合は、嗜好性の高いものから順に録画していく。
【００５９】
（実施の形態２）
センター装置１００からの見忘れ番組配信形式がストリーミングの場合の本発明の実施の形態を図５を用いて説明する。図１との違いはセンター装置１００の番組配信手段１０３からはファイルでなくストリーミングで送信されることと、受信装置３００に蓄積手段３０８が不要となっていることである。実施の形態１と異なる点は、録画開始時間の算出が視聴開始時間の算出となり、配信時間でなく、視聴時間から算出することである。例えば、配信内容更新時刻が２３時００分で視聴対象が図２におけるドラマＡとすると、実施の形態１のファイル配信では録画開始時刻が、２３時００分から配信所要時間である１５分を引いた２２時４５分であったが、実施の形態２のストリーミング配信の場合は２３時００分から視聴時間の３０分を引いた２２時３０分から視聴を行う必要があり、そのために２２時３０分までには受信装置３００はセンター装置１００に対して番組配信要求を送信する必要がある。複数の見忘れ番組にも同様に対応できるため、配信開始時刻以外に関しては実施の形態１と同様である。
【００６０】
なお、本書では見忘れ番組を例に説明を行ったが、終了時刻が決まっているほかの配信サービスでも同様の効果がある。
【００６１】
また発明の実施の形態１及び２では、番組終了時刻をセンター装置１００から受信していたが、受信装置１００の終了時刻取得手段３０３がネットワーク上のほかのサーバなどから入手してもよい。
【００６２】
また発明の実施の形態１及び２では、配信所要時間をセンター装置１００から受信していたが、受信装置１００の配信所要時間処理手段３０４でファイルサイズや回線速度から算出してもよい。
【００６３】
また発明の実施の形態１及び２では、配信終了時間としてセンター装置１００の配信内容更新時刻を用いたが、ＶＯＤ（Ｖｉｄｅｏ  Ｏｎ  Ｄｅｍａｎｄ）などの期間限定の有料放送などにおける購入後の視聴権利消滅時間を用いても同様の効果が得られる
【産業上の利用可能性】
【００６４】
本発明に係る番組システムは、放送局が放送済み番組を局内のサーバ（センター装置）に格納してインターネットなどのネットワークを経由して、ユーザ宅の受信装置に要求に応じて配信するサービスを実施する場合、ユーザが見たい番組のうち、実際の見忘れ、あるいは視聴し忘れた番組を確実に録画あるいは視聴することが可能となり、見忘れ番組サービス提供などに有用である。
【図面の簡単な説明】
【００６５】
【図１】本発明の実施の形態１における番組配信システムの構成を表す図
【図２】本発明の実施の形態１における番組配信システムのセンター装置が生成する番組配信情報の一例を表す図
【図３】受信装置３００による見忘れ番組を録画するまでの処理の流れを示す図
【図４】見忘れ番組が２つあり、番組受信制御手段４０７に見忘れ番組を登録後の視聴も録画も行っていないセンター装置１００と受信装置３００のやり取りを示す図
【図５】本発明の実施の形態２における番組配信システムの構成を表す図
【図６】従来の番組配信システムの構成を表す図
【符号の説明】
【００６６】
１００  センター装置
１０１  ネットワーク接続手段
１０２  番組蓄積手段
１０３  番組配信手段
１０４  番組情報管理手段
２００  ネットワーク
３００  受信装置
３０１  ネットワーク接続手段
３０２  復号手段
３０３  終了時刻取得手段
３０４  配信所要時間処理手段
３０５  視聴履歴取得手段
３０６  嗜好情報取得手段
３０７  番組受信制御手段
３０８  蓄積手段
３０９  再生手段
３１０  出力手段
【図１】
2009100143.tif 000003
【図２】
2009100143.tif 000004
【図３】
2009100143.tif 000005
【図４】
2009100143.tif 000006
【図５】
2009100143.tif 000007
【図６】
2009100143.tif 000008